(57)【要約】【課題】  製品間の隙間のばらつきをなくし、製品間の特性ばらつきを解消させることを課題とする。【解決手段】  開放型ヨークの２つの第１、第２分割ヨーク４、５毎に形成される各ヨーク上下片３１、３２にスロットル開度センサ３をその板厚方向の両側から挟み込んでいる。これにより、スロットル開度センサ３の両感磁面と２つの第１、第２分割ヨーク４、５毎に形成される各ヨーク上下片３１、３２の両対向面との間の隙間がなくなるので、その隙間を高精度に管理する必要がなくなる。これにより、製品間の隙間のばらつきがなくなるので、製品間の特性ばらつきが解消する。すなわち、マグネット２の回転角度に対するホールＩＣの出力変化特性の安定化を図ることができるので、製品間の検出精度のばらつきを抑えることができる。【選択図】  図１
2008064736.tif 000002
【特許請求の範囲】
【請求項１】
（ａ）検出対象物の回転軸に固定された磁石と、
（ｂ）この磁石より出た磁束を検出する磁気検出素子を有し、
前記磁石の回転角度に対する前記磁気検出素子の出力変化特性を利用して前記検出対象物の回転角度を検出する板状の回転角度センサと、
（ｃ）片側が開放された磁性体であって、前記磁石より出た磁束を前記回転角度センサに集中させるための開放型ヨークと
を備えた回転角度検出装置において、
前記開放型ヨークは、分割された２つの分割部よりなり、前記２つの分割部毎に、前記磁石との間にエアギャップを形成し、互いに対向配置されるヨーク本体、およびこのヨーク本体に対して所定の折り曲げ角度で折り曲げられて、互いに対向配置される折り曲げ片を有し、
前記回転角度センサは、その板厚方向の両側から、前記２つの分割部毎に形成される各折り曲げ片に挟み込まれていることを特徴とする回転角度検出装置。
【請求項２】
請求項１に記載の回転角度検出装置において、
前記開放型ヨークは、前記各折り曲げ片間に形成される磁束検出ギャップに前記回転角度センサを配置していることを特徴とする回転角度検出装置。
【請求項３】
請求項１または請求項２に記載の回転角度検出装置において、
前記各折り曲げ片は、前記２つの分割部毎に形成される各ヨーク本体の板幅方向の一端縁を、回転角度センサ側に折り曲げることで形成されていることを特徴とする回転角度検出装置。
【請求項４】
請求項１ないし請求項３のうちのいずれか１つに記載の回転角度検出装置において、
前記２つの分割部毎に形成される各ヨーク本体に対する前記各折り曲げ片の折り曲げ角度は、前記回転角度センサが前記各ヨーク本体の板幅寸法内に納まる角度に設定されていることを特徴とする回転角度検出装置。
【請求項５】
請求項１ないし請求項４のうちのいずれか１つに記載の回転角度検出装置において、
前記２つの分割部毎に形成される各ヨーク本体に対する前記各折り曲げ片の折り曲げ角度は、直角よりも大きい鈍角に設定されていることを特徴とする回転角度検出装置。
【請求項６】
請求項１ないし請求項５のうちのいずれか１つに記載の回転角度検出装置において、
前記２つの分割部毎に形成される各ヨーク本体に対する前記各折り曲げ片の折り曲げ角度は、略同一の角度に設定されていることを特徴とする回転角度検出装置。
【請求項７】
請求項１ないし請求項６のうちのいずれか１つに記載の回転角度検出装置において、
前記磁石は、その板長さ方向に着磁された板状マグネットであって、
前記２つの分割部は、少なくとも前記板状マグネットの板厚寸法以上の板幅寸法を有していることを特徴とする回転角度検出装置。
【請求項８】
請求項１ないし請求項７のうちのいずれか１つに記載の回転角度検出装置において、
前記２つの分割部は、磁石側の端部からセンサ側の端部に向けて板幅が徐々に減少するように形成されていることを特徴とする回転角度検出装置。
【請求項９】
請求項１ないし請求項８のうちのいずれか１つに記載の回転角度検出装置において、
前記回転角度センサは、その板厚方向の両側に、前記各折り曲げ片に接触する両感磁面を有し、
前記回転角度センサの両感磁面の面方向は、前記検出対象物の回転軸に対して垂直な垂直平面に所定の交差角度で交差するように傾斜していることを特徴とする回転角度検出装置。
【請求項１０】
請求項１ないし請求項９のうちのいずれか１つに記載の回転角度検出装置において、
前記磁気検出素子は、前記回転角度センサの本体部を構成する封止部材内に封止されていることを特徴とする回転角度検出装置。
【請求項１１】
請求項１ないし請求項１０のうちのいずれか１つに記載の回転角度検出装置において、  前記回転角度センサは、前記磁気検出素子より引き出されたリード端子群を有していることを特徴とする回転角度検出装置。
【請求項１２】
請求項１ないし請求項１１のうちのいずれか１つに記載の回転角度検出装置において、  少なくとも前記開放型ヨークを保持固定するヨーク保持部を有するプレートと、このプレートとの間に、前記回転角度センサおよび前記開放型ヨークを収容するセンサ収容空間を形成するカバーとを備え、
前記プレートは、非磁性材料によって形成されており、
前記カバーは、磁性材料によって形成されていることを特徴とする回転角度検出装置。
【請求項１３】
請求項１２に記載の回転角度検出装置において、
前記回転角度センサは、前記磁気検出素子より引き出されたリード端子群を有し、
前記カバーの内部に熱硬化性樹脂を充填して、前記リード端子群を封止したことを特徴とする回転角度検出装置。
【請求項１４】
請求項１３に記載の回転角度検出装置において、
前記カバーは、前記熱硬化性樹脂を係止する係止部を有していることを特徴とする回転角度検出装置。
【請求項１５】
請求項１３または請求項１４に記載の回転角度検出装置において、
前記プレートは、前記回転角度センサのリード端子群に対応して設けられるコネクタ端子群を集中配置したコネクタを有し、
前記熱硬化性樹脂は、前記回転角度センサのリード端子群と前記コネクタのコネクタ端子群とを電気的に接続する複数の導体を封止していることを特徴とする回転角度検出装置。
【請求項１６】
請求項１２ないし請求項１５のうちのいずれか１つに記載の回転角度検出装置において、
前記カバーを面接触して固定するハウジングを備え、
前記ハウジングは、アルミニウムを主体とする金属材料によって形成されていることを特徴とする回転角度検出装置。
【発明の詳細な説明】
【技術分野】
【０００１】
本発明は、磁石の回転角度に対する磁気検出素子の出力変化特性を利用して検出対象物の回転角度を検出する回転角度センサを備えた回転角度検出装置に関するものである。
【背景技術】
【０００２】
［従来の技術］
従来より、図１２に示したように、例えばスロットルバルブ等の検出対象物の回転軸の軸方向の先端部に固定されたマグネット１０１と、このマグネット１０１の回転角度に対する磁気感知装置（ホールＩＣ）の出力変化特性を利用して検出対象物の回転角度を検出する回転角度センサ１０２と、マグネット１０１および回転角度センサ１０２と共に磁気回路（例えば開磁路）を形成する開放型ヨークとを備えた回転角度検出装置が公知である（例えば、特許文献１参照）。
【０００３】
ここで、回転角度センサ１０２は、平板状のボード１０３上に磁気感知装置が固定されている。また、開放型ヨークは、検出対象物の回転軸に対して垂直な垂直平面を境にして面対称（左右対称）となるように分割された２つの第１、第２磁性体１０４、１０５よりなる。そして、開放型ヨークは、２つの第１、第２磁性体１０４、１０５毎に、マグネット１０１との間に隙間を形成するヨーク本体１１１、およびこのヨーク本体１１１の板幅方向の端縁より回転角度センサ側に突設された突起片１１２を有している。
【０００４】
なお、２つの第１、第２磁性体１０４、１０５は、その板厚方向が、検出対象物の回転軸方向に対して平行となるように配置されて、片側が開放されている。また、２つの第１、第２磁性体１０４、１０５毎に形成される突起片１１２の先端部は、磁束検出ギャップを隔てて対向配置されている。また、マグネット１０１は、２つの第１、第２磁性体１０４、１０５毎に形成される各ヨーク本体１１１に対して相対回転可能に配設されている。また、回転角度センサ１０２は、２つの第１、第２磁性体１０４、１０５毎に形成される各突起片１１２の対向部間に形成される磁束検出ギャップ内に配置されており、各突起片１１２の対向部との間に隙間が形成されている。
【０００５】
［従来の技術の不具合］
ところが、特許文献１に記載の回転角度検出装置においては、左右対称形状の開磁路タイプの開放型ヨークを備えている。このような左右対称磁性体（開放型ヨーク）形状では、磁気感知装置の特性精度を決める、マグネット１０１と開放型ヨーク（２つの第１、第２磁性体１０４、１０５）との間の隙間、および回転角度センサ１０２と開放型ヨーク（２つの第１、第２磁性体１０４、１０５）との間の隙間を、同時に高精度に管理するのは非常に難しい。このため、製品間で隙間がばらつき、製品間の特性ばらつきが生じるという問題があった。
【０００６】
また、開磁路タイプの開放型ヨーク（２つの第１、第２磁性体１０４、１０５）の場合には、外部磁界（例えば車両に搭載されるオルタネータ（交流発電機）等）、あるいは磁性体（例えば鉄系の締結ボルトやブラケット等）が回転角度センサ１０２の近傍に設置されると、磁気感知装置への外部磁界および磁性体からの影響に伴って、マグネット１０１の回転角度に対する磁気感知装置の出力変化特性が大幅に変化するという問題があった。  また、開磁路タイプの開放型ヨーク（２つの第１、第２磁性体１０４、１０５）の場合には、２つの第１、第２磁性体１０４、１０５毎に形成される各ヨーク本体１１１の板長さ方向の先端部（ヨーク開放端部）が開放されている。このため、磁気感知装置が電波ノイズからの影響を受け易く、マグネット１０１の回転角度に対する磁気感知装置の出力変化特性が大幅に変化するという問題があった。
【特許文献１】米国特許第５１６４６６８号明細書（図１−図９）
【発明の開示】
【発明が解決しようとする課題】
【０００７】
本発明の目的は、開放型ヨークの２つの分割部毎に形成される各折り曲げ片に回転角度センサを挟み込むことで、製品間の隙間のばらつきをなくし、製品間の特性ばらつきを解消させることのできる回転角度検出装置を提供することにある。また、開放型ヨークまたは回転角度センサへの電波ノイズ、外部磁界および磁性体からの影響を少なくして、磁石の回転角度に対する磁気検出素子の出力変化特性の変化を抑えることのできる回転角度検出装置を提供することにある。
【課題を解決するための手段】
【０００８】
請求項１に記載の発明によれば、磁石より出た磁束を回転角度センサに集中させるための開放型ヨークは、磁石により磁化される磁性体であって、片側が開放されている。
そして、開放型ヨークは、分割された２つの分割部によって構成されており、２つの分割部毎に、磁石との間にエアギャップを形成するヨーク本体、およびこのヨーク本体に対して所定の折り曲げ角度で折り曲げられた折り曲げ片が形成されている。
そして、開放型ヨークの２つの分割部毎に形成される各折り曲げ片に回転角度センサをその板厚方向の両側から挟み込むことにより、回転角度センサと開放型ヨークの２つの分割部との間の隙間がなくなるので、その隙間を高精度に管理する必要がなくなる。また、製品間の隙間のばらつきがなくなるので、製品間の特性ばらつきを解消させることができる。すなわち、磁石の回転角度に対する磁気検出素子の出力変化特性の安定化を図ることができるので、製品間の検出精度のばらつきを抑えることができる。
【０００９】
ここで、磁石として、検出対象物の回転軸の回転に伴って回転し、検出対象物の回転軸に対して垂直な半径方向に着磁した磁石（マグネット）を採用しても良い。また、磁石として、検出対象物の回転軸の回転に伴って回転し、磁石内部の磁力線の向きが互いに平行となるように（平行）着磁した磁石（マグネット）を採用しても良い。これらの場合には、検出対象物の使用角度範囲（検出角度範囲）を大きくとった場合でも、磁石の回転角度に対する磁気検出素子の出力変化特性の直線性（リニアリティ）を向上することができる。
【００１０】
また、２つの分割部毎に形成される各ヨーク本体を、回転角度センサの板厚方向の中心と磁石の回転中心とを結ぶ軸線（基準線）および検出対象物の回転軸を含んだ平面を境にして面対称となるように配設しても良い。この場合には、開放型ヨークの２つの分割部を流れる磁束を、回転角度センサに集中させることができる。これにより、磁石より出た磁束を、磁気検出素子に効率良く鎖交させることができるので、磁気検出素子の出力が大きくなる。また、分割された２つの分割部よりなる開放型ヨークを、１種類の磁性体を組み合わせて構成するようにしても良い。この場合には、部品の共通化を図ることができるので、コストを削減することができる。
【００１１】
請求項２に記載の発明によれば、開放型ヨークの２つの分割部毎に形成される各折り曲げ片間に形成される磁束検出ギャップに回転角度センサを配置しているので、磁石より出た磁束が、２つの分割部のうちの一方の分割部に形成されたヨーク本体および折り曲げ片を経て磁束検出ギャップを通過し、更に２つの分割部のうちの他方の分割部に形成された折り曲げ片およびヨーク本体を経て、磁石に戻るように磁気回路が形成される。
このとき、回転角度センサの磁気検出素子からは、磁束検出ギャップを通過する磁束密度に応じた出力が発生する。なお、磁束検出ギャップを通過する磁束密度は、磁石の回転角度に応じて変化する。また、磁石は、検出対象物の回転軸に固定されている。したがって、磁石の回転角度に対する磁気検出素子の出力変化特性を利用して、検出対象物の回転角度を検出することができる。
【００１２】
請求項３に記載の発明によれば、開放型ヨークの２つの分割部毎に形成される各ヨーク本体の板幅方向の一端縁を、回転角度センサ側に折り曲げることで、開放型ヨークの２つの分割部毎に形成される各折り曲げ片が、互いに対向するように設けられる。
請求項４に記載の発明によれば、２つの分割部毎に形成される各ヨーク本体に対する各折り曲げ片の折り曲げ角度を、回転角度センサが各ヨーク本体の板幅寸法内に納まる角度に設定することにより、製品の板幅寸法の大型化を抑えることができる。これにより、製品の搭載スペースを容易に確保することができる。
【００１３】
請求項５に記載の発明によれば、２つの分割部毎に形成される各ヨーク本体に対する各折り曲げ片の折り曲げ角度を、直角よりも大きい鈍角に設定することにより、製品の板幅寸法の大型化を抑えることができる。これにより、製品の搭載スペースを容易に確保することができる。なお、２つの分割部のうちの少なくとも一方の分割部に形成されるヨーク本体に対する各折り曲げ片の折り曲げ角度を、直角よりも大きい鈍角に設定しても良い。また、２つの分割部毎に形成される各折り曲げ片が、所定の磁束検出ギャップを隔てて対向するように、２つの分割部毎に形成される各ヨーク本体に対して、２つの分割部毎に形成される各折り曲げ片を同じ向きに折り曲げても、異なる向きに折り曲げても構わない。  
【００１４】
請求項６に記載の発明によれば、２つの分割部毎に形成される各ヨーク本体に対する各折り曲げ片の折り曲げ角度を、略同一の角度に設定することにより、１種類の磁性体を組み合わせることで開放型ヨーク（２つの分割部）を構成することができる。これにより、部品の共通化を図ることができるので、コストを削減することができる。
請求項７に記載の発明によれば、２つの分割部は、少なくとも板状マグネットの板厚寸法以上の板幅寸法を有している。これにより、磁石より出た磁束を、回転角度センサ、特に磁気検出素子に効率良く集中させることができる。これにより、磁石より出た磁束を、磁気検出素子に効率良く鎖交させることができるので、磁気検出素子の出力が大きくなる。
請求項８に記載の発明によれば、２つの分割部を、磁石側の端部からセンサ側の端部に向けて板幅が徐々に減少するように形成することにより、例えば回転角度センサのサイズが小さくても、磁石より出た磁束を、回転角度センサ、特に磁気検出素子に効率良く導くことができる。これにより、磁石より出た磁束を、磁気検出素子に効率良く鎖交させることができるので、磁気検出素子の出力が大きくなる。
【００１５】
請求項９に記載の発明によれば、回転角度センサは、その板厚方向の両側に、各折り曲げ片に接触する両感磁面を有している。そして、回転角度センサの両感磁面の面方向は、検出対象物の回転軸に対して垂直な垂直平面に所定の交差角度で交差するように傾斜している。
請求項１０に記載の発明によれば、回転角度センサの本体部を構成する封止部材内に磁気検出素子が封止されている。
請求項１１に記載の発明によれば、回転角度センサには、磁気検出素子より引き出されたリード端子群が設けられている。
【００１６】
請求項１２に記載の発明によれば、少なくとも開放型ヨークを保持固定するヨーク保持部を有するプレートを、例えば熱可塑性樹脂等の樹脂材料（非磁性材料）によって形成している。そして、プレートとの間に、回転角度センサおよび開放型ヨークを収容するセンサ収容空間を形成するカバーを、磁性材料によって形成することにより、外部磁界および磁性体が近づいても、カバーで外部磁界および磁性体からの磁気を吸収することができる。これにより、回転角度センサ、特に磁気検出素子への外部磁界および磁性体からの影響が受け難くなり、また、少なくなり、磁石の回転角度に対する磁気検出素子の出力変化特性の変化を抑えることができる。なお、カバーの内部で、且つプレートのヨーク保持部近傍に、磁石を回転自在に収容しても良い。
【００１７】
請求項１３に記載の発明によれば、回転角度センサには、磁気検出素子より引き出されたリード端子群が設けられている。また、カバーの内部に熱硬化性樹脂を充填して、回転角度センサのリード端子群を封止している。これによって、回転角度センサのリード端子群の各リード端子間の電気絶縁性を低下させる現象（マイグレーション）の発生を防止することができる。
ここで、回転角度センサのリード端子群を、プレートの面方向に略沿うように、磁気検出素子より引き出すことにより、製品の幅方向寸法を抑えることができる。
【００１８】
請求項１４に記載の発明によれば、カバーに、熱硬化性樹脂を係止する係止部を設けることにより、熱硬化性樹脂に封止される回転角度センサおよび開放型ヨーク等の内部部品の線膨張移動を最小限に抑えることができる。これによって、磁石の回転角度に対する磁気検出素子の出力変化特性の安定化を図ることができるので、製品間の検出精度のばらつきを抑えることができる。
請求項１５に記載の発明によれば、回転角度センサのリード端子群とコネクタのコネクタ端子群とを電気的に接続する複数の導体の断線等の導通不良を防止することができるので、回転角度センサの信頼性を向上することができる。また、回転角度センサのリード端子群とコネクタのコネクタ端子群とを電気的に接続する複数の導体からの熱硬化性樹脂の剥離による、回転角度センサのリード端子群の各リード端子間、複数の導体間、コネクタのコネクタ端子群の各コネクタ端子間の電気絶縁性を低下させる現象（マイグレーション）の発生を防止することができる。
【００１９】
請求項１６に記載の発明によれば、カバーを面接触して固定するハウジングを、電気抵抗の小さいアルミニウムを主体とするアルミニウム合金によって形成しても良い。この場合には、カバーに到達した電波ノイズが、カバーからハウジングへ効率良く逃がされるので、回転角度センサ、特に磁気検出素子が電波ノイズからの影響を受け難くなり、磁石の回転角度に対する磁気検出素子の出力変化特性の変化を最小限に抑えることができる。
【発明を実施するための最良の形態】
【００２０】
本発明を実施するための最良の形態は、製品間の隙間のばらつきをなくし、製品間の特性ばらつきを解消させるという目的を、開放型ヨークの２つの分割部毎に形成される各折り曲げ片に回転角度センサを挟み込むことで実現した。また、磁石の回転角度に対する磁気検出素子の出力変化特性の変化を抑えるという目的を、開放型ヨークまたは回転角度センサへの電波ノイズ、外部磁界および磁性体からの影響を少なくすることで実現した。
【実施例１】
【００２１】
［実施例１の構成］
図１および図２は本発明の実施例１を示したもので、図１は回転角度検出装置の全体構成を示した図で、図２は回転角度検出装置の主要構成を示した図である。
【００２２】
本実施例の内燃機関の制御装置（エンジン制御システム）は、例えば二輪自動車等の車両に搭載された内燃機関（例えば二輪自動車用単気筒４サイクルガソリンエンジン：以下エンジンと言う）の燃焼室に向けて燃料を噴射供給する電子制御式燃料噴射装置と、エンジンの吸気系統に組み込まれた吸気モジュール（吸気量制御装置）と、これらの各システムを関連して制御するエンジン制御ユニット（ＥＣＵ）とを備えている。
その電子制御式燃料噴射装置は、電動式のフューエルポンプにより燃料（例えばガソリン）を一定の圧力に加圧してフューエルフィルタを介してインジェクタ（電磁式燃料噴射弁）へ送り、最適なタイミングで燃料を噴射できるようにした装置（システム）である。  
【００２３】
本実施例の吸気モジュールは、二輪自動車等の車両のスロットルレバーまたはスロットルハンドル等のスロットル操作部品のスロットル操作量に基づいて、エンジンの燃焼室内に供給する吸入空気量（吸気量）を制御する吸気量制御装置（吸気通路開閉装置、システム）である。なお、スロットル操作量とは、四輪自動車においては、運転者のアクセルペダルの踏み込み量（アクセル操作量）に相当する。また、吸気モジュールは、エンジンの吸気ポートに接続するエンジン吸気管の途中に組み込まれたスロットルボディ（図示せず）と、このスロットルボディ内部に開閉自在に収容されるスロットルバルブ（検出対象物：図示せず）と、このスロットルバルブの回転角度を検出する回転角度検出装置とを備えている。
【００２４】
スロットルボディは、非磁性材料（例えば熱可塑性樹脂等の樹脂材料）によって一体的に形成されている。このスロットルボディは、内部に断面円形状の吸気通路（以下スロットルボアと呼ぶ）が形成された円筒状のスロットルボア壁部（以下円筒部と呼ぶ）、およびこの円筒部の吸気流方向に対して回転軸方向の両側に円筒状の軸受け部等を有している。また、スロットルバルブは、その回転軸方向に真っ直ぐに延びるシャフト１に一体的に結合されている。また、スロットルバルブは、吸入空気量を最小とする全閉位置から吸入空気量を最大とする全開位置までの使用角度範囲内において、その回転角度が変更されることで、エンジンの燃焼室内への吸入空気量（吸気量）を制御する。
【００２５】
シャフト１は、スロットルバルブと一体的に回転動作を行うバルブ軸である。このシャフト１の軸線方向の両端部は、スロットルボディの円筒部の両側の軸受け部に回転自在に収容されている。なお、シャフト１の回転軸方向の一端部は、スロットルボディの円筒部を貫通してスロットルボディ外部に突出している。また、シャフト１の回転軸方向の他端部は、スロットルボディの円筒部を貫通してスロットルボディ外部に突出している。そして、シャフト１の回転軸方向の他端部には、スロットルレバーまたはスロットルハンドル等のスロットル操作部品に連動するワイヤケーブルが取り付けられるアクセルレバーがかしめ等により固定されている。
【００２６】
本実施例の吸気モジュールは、運転者のスロットル操作量に応じて開弁駆動（または閉弁駆動）されるスロットルバルブの回転角度（バルブ開度）に相当するスロットル開度を電気信号に変換し、ＥＣＵへどれだけスロットルバルブが開かれているかを出力する非接触式の回転角度検出装置（スロットル開度検出装置）を搭載している。
【００２７】
本実施例の回転角度検出装置は、スロットルバルブのシャフト１の回転軸方向の一端部に固定された薄板状磁石（永久磁石：以下マグネットと呼ぶ）２と、このマグネット２より出た磁束を検出する非接触式の磁気検出素子を有する回転角度センサ（以下スロットル開度センサと呼ぶ）３と、マグネット２より出た磁束をスロットル開度センサ３に集中させるための開放型ヨーク（開磁路タイプの磁性体）と、スロットル開度センサ３および開放型ヨークを収容するケーシングとによって構成されている。
【００２８】
なお、開放型ヨークは、分割された２つの第１、第２分割ヨーク４、５よりなり、１種類のプレート状ヨークを組み合わせることによって構成されている。２つの第１、第２分割ヨーク４、５間には、スロットル開度センサ３を配置するための磁束検出ギャップが形成されている。ここで、本実施例のＥＣＵは、スロットル開度センサ３の出力、つまりスロットル開度センサ３より出力された電気信号に対応した燃料噴射量を、エンジンの気筒に噴射供給するようにインジェクタの開弁期間を制御する噴射量制御を行うように構成されている。
【００２９】
また、スロットル開度センサ３および開放型ヨークを収容するケーシングは、吸気モジュールカバー（センサカバー、磁気シールドカバー）１１、この吸気モジュールカバー１１の内部に嵌め込まれたプレート１２、およびスロットルボディの円筒部の外壁面に装着されるハウジング１４等によって構成されている。なお、プレート１２およびハウジング１４には、スロットルバルブのシャフト１の回転軸方向に貫通するシャフト貫通孔１５、１６が形成されている。このため、スロットルバルブのシャフト１のマグネット装着部は、スロットルボディの円筒部の片側の軸受け部に形成された軸受け収容孔、ハウジング１４に形成されたシャフト貫通孔１６、およびプレート１２に形成されたシャフト貫通孔１５を貫通して、吸気モジュールカバー１１の内部に突き出した状態（例えばセンサ収容空間１７内に露出した状態）で、吸気モジュールカバー１１の内部に回転自在に収容されている。
【００３０】
マグネット２は、スロットル開度センサ３および開放型ヨークに対して相対回転するマグネットロータを構成するもので、検出対象物としてのスロットルバルブの回転に伴って回転するように、スロットルバルブのシャフト１の回転軸方向の一端部（マグネット装着部）に保持固定されている。具体的には、スロットルバルブのシャフト１に形成された一文字状の溝部に接着剤等の固定手段を用いてマグネット２が保持固定されている。このマグネット２は、平面形状が正方形状（または長方形状）で、例えばサマリウム−コバルト（Ｓｍ−Ｃｏ）磁石、ネオジウム（Ｎｄ）磁石等の希土類磁石、アルニコ磁石、フェライト磁石が用いられ、長期間磁力を安定して発生し続ける直方体形状の永久磁石である。
【００３１】
本実施例のマグネット２は、板厚方向および板幅方向に対して略直交する板長さ方向の両端部が互いに極性が逆向きになるようにＮ極とＳ極とが着磁されている。また、マグネット２は、磁石内部の磁力線の向きが互いに平行となるように平行着磁されている。そして、マグネット２は、スロットルバルブのシャフト１の回転軸（回転中心軸線）に対して垂直な半径方向に着磁されている。これにより、マグネット２の着磁方向（板長さ方向）は、スロットルバルブのシャフト１の回転軸に対して垂直な直径方向と一致しており、マグネット２の板長さ方向の一方側の着磁面（磁極面）がＮ極とされ、また、マグネット２の板長さ方向の他方側の着磁面（磁極面）がＳ極とされている。
【００３２】
ここで、マグネット２は、その回転中心を中心にして、スロットルバルブの全閉位置から全開位置に至るまでの使用角度範囲で、特に開放型ヨークの内部（２つの第１、第２分割ヨーク４、５間）に形成されるマグネット収容空間１９にて回転可能とされている。そして、本実施例では、スロットルバルブが全閉開度の際に、マグネット２の回転角度が、スロットルバルブの使用角度範囲（検出角度範囲）における最小角度（例えば０ｄｅｇ）となる。また、スロットルバルブが中間開度の際に、マグネット２の回転角度が、スロットルバルブの使用角度範囲における中間角度（例えば４５ｄｅｇ）となる。また、スロットルバルブが全開開度の際に、マグネット２の回転角度が、スロットルバルブの使用角度範囲における最大角度（例えば９０ｄｅｇ）となる（図１（ｂ）および図１（ｃ）参照）。
【００３３】
本実施例のスロットル開度センサ３は、２つの第１、第２分割ヨーク４、５間に形成される磁束検出ギャップに配置されて、マグネット２の一方側の着磁面より出た磁束（密度）を検出するホールＩＣを有している。ホールＩＣは、磁束検出ギャップを通過する磁束密度（ホールＩＣを鎖交する磁束密度）に応じて出力が変化する非接触式の磁気検出素子を構成するホール素子と、このホール素子の出力を増幅する増幅回路とを一体化したＩＣ（集積回路）であって、磁気検出ギャップを通過する磁束密度（ホールＩＣに鎖交する磁束密度）に対応した電圧信号を出力する。なお、ホールＩＣは、磁束密度に対する出力ゲイン調整、オフセット調整、温度特性の補正のプログラムを外部から電気トリミングする機能を有したり、断線、ショートの自己診断機能を有していても良い。
【００３４】
ホールＩＣは、スロットル開度センサ３の本体部（重量部）を構成する樹脂ハウジング（封止部材）内に封止されている。なお、樹脂ハウジングは、直方体形状（薄板状）に形成されており、板厚方向の両側に２つの第１、第２分割ヨーク４、５に直接密着して接合する両接合面を有している。そして、ホールＩＣを内蔵する樹脂ハウジングからは、センサリード端子群であるリード端子群が引き出されている。そして、スロットル開度センサ３のリード端子群は、１つの出力側リード端子（センサ出力端子）、１つのグランド（ＧＮＤ）側リード端子（センサＧＮＤ端子）、および１つの電源側リード端子（センサ電源端子）よりなる。
【００３５】
スロットル開度センサ３は、マグネット２の回転中心を通り、スロットルバルブのシャフト１の回転軸（回転中心軸線）に対して垂直な垂直線上に、ホールＩＣの中心が位置するように、磁束検出ギャップに配置されている。すなわち、スロットル開度センサ３は、マグネット２の回転中心とホールＩＣの中心とが略同一軸線上に位置するように、磁束検出ギャップに配置されている。
【００３６】
これにより、本実施例のホールＩＣは、マグネット２の板長さ方向（着磁方向）と磁束検出ギャップとが直線上に一致する際の、マグネット２の回転角度を、使用角度範囲における最小角度（例えば０ｄｅｇ）とし、マグネット２の板長さ方向（着磁方向）と磁束検出ギャップとが直交する際の、マグネット２の回転角度を、使用角度範囲における角度（例えば９０ｄｅｇ）としたとき、マグネット２の回転角度が９０ｄｅｇの時に、磁束検出ギャップを通過する磁束密度が最大となり、使用角度範囲における最大出力値を出力し、マグネット２の回転角度が０ｄｅｇの時に、磁束検出ギャップを通過する磁束密度が最小になり、使用角度範囲における最小出力値を出力する。
【００３７】
そして、スロットル開度センサ３は、その板厚方向の両側に両感磁面を有している。また、スロットル開度センサ３は、スロットルバルブのシャフト１の回転軸（回転中心軸線）に対して垂直な垂直平面（回転軸に沿った垂直平面）に対して所定の傾斜角度だけ傾いた状態で、磁束検出ギャップに配置されている。このため、スロットル開度センサ３の両感磁面の面方向は、スロットルバルブのシャフト１の回転軸（回転中心軸線）に対して垂直な垂直平面（回転軸に沿った垂直平面）に所定の交差角度で交差するように傾斜している。
【００３８】
本実施例の開放型ヨークは、分割された２つの第１、第２分割ヨーク（分割部）４、５よりなり、１種類の薄板状のプレート状ヨークを、マグネット収容空間（磁石収容空間）１９を隔てて向かい合うように組み合わせて構成されている。
２つの第１、第２分割ヨーク４、５は、鉄等の磁性材料によって所定の形状に形成されており、マグネット２より出た磁束をスロットル開度センサ３、特にホールＩＣ（非接触式の磁気検出素子）に集中させるための１組のプレート状ヨーク（磁性体）である。これらの第１、第２分割ヨーク４、５は、片側が開放された左右対称形状のヨーク本体２１、２２、およびスロットル開度センサ３の板厚方向の両側からスロットル開度センサ３を挟み込むヨーク上下片（折り曲げ片）３１、３２をそれぞれ有している。
【００３９】
２つの第１、第２分割ヨーク４、５は、板厚方向の一端面同士が、マグネット２およびスロットル開度センサ３を間に挟んだ状態で、互いに対向して配置されている。
これらの第１、第２分割ヨーク４、５は、各ヨーク本体２１、２２の先端側（開放側）の端部（マグネット側の端部：ヨーク開放端部２３）が、板幅方向の寸法が最も大きい最大幅部を構成している。また、２つの第１、第２分割ヨーク４、５は、各ヨーク上下片３１、３２の先端側の端部（スロットル開度センサ側の端部：センサ装着部３３の先端部）が、板幅方向の寸法が最も小さい最小幅部を構成している。この最小幅部の板幅寸法（Ａ）は、少なくともマグネット２の板厚寸法（Ｂ）以上の板幅寸法を有している。
そして、２つの第１、第２分割ヨーク４、５は、ヨーク開放端部２３から、センサ装着部３３の先端に向けて、その板幅が段階的または連続的に徐々に減少するように、つまり先細りとなるように（ヨーク開放端部２３からセンサ装着部３３の先端または磁束検出ギャップに向けて磁束が収束するように）形成されている。
【００４０】
２つの第１、第２分割ヨーク４、５毎に形成される各ヨーク本体２１、２２は、マグネット２の回転中心とスロットル開度センサ３の板厚方向の中心とを結ぶ中心軸線（基準線）およびスロットルバルブのシャフト１の回転軸を含んだ平面を境にして面対称となるように配設されている。また、各ヨーク本体２１、２２は、マグネット２との間に所定のエアギャップを形成し、互いに対向して配置されている。また、各ヨーク本体２１、２２は、スロットルバルブのシャフト１の回転軸方向の一端部およびマグネット２を回転自在に収容する非円形状のマグネット収容空間（磁石収容空間）１９を隔てて対向している。
【００４１】
そして、２つの第１、第２分割ヨーク４、５毎に形成される各ヨーク本体２１、２２は、開放側に対して反対側（スロットル開度センサ側）に、互いに対向して配置される平板状のヨーク対向部２４、およびこのヨーク対向部２４の面方向に対してマグネット２に近づく側に折り曲げられた平板状の直線部２５を有している。各ヨーク本体２１、２２のヨーク対向部２４は、スロットルバルブのシャフト１の回転軸に垂直な半径方向の垂直線に対して平行な長方形状の平板であって、その板幅方向の一方側の一端縁にヨーク上下片３１、３２が接続している。
【００４２】
各ヨーク本体２１、２２の直線部２５は、その開放側に平板状のヨーク開放端部２３を有している。このヨーク開放端部２３は、各ヨーク本体２１、２２の開放側に設けられて、スロットルバルブの使用角度範囲における最大角度付近（例えば９０ｄｅｇ近傍）で、マグネット２の着磁方向の両端部（両着磁面）との間に最小エアギャップを形成するマグネット対向部である。また、各ヨーク本体２１、２２の直線部２５は、ヨーク開放端部２３からヨーク対向部２４に向けてスロットルバルブのシャフト１の回転軸に垂直な半径方向の垂直線に対して所定の傾斜角度だけ傾斜して真っ直ぐに延びている。また、直線部２５は、ヨーク開放端部２３間のギャップよりも、ヨーク対向部２４間のギャップの方が大きくなるように傾斜している。すなわち、各ヨーク本体２１、２２、特に直線部２５は、マグネット２との間に最小エアギャップを形成する最大角度からマグネット２が最小角度側に回転すると、マグネット２との間に形成されるエアギャップが次第に増加するように傾斜している。
【００４３】
２つの第１、第２分割ヨーク４、５毎に形成される各ヨーク上下片３１、３２は、各ヨーク本体２１、２２に対して、所定の折り曲げ角度（直角よりも大きい鈍角）で折り曲げられている。各ヨーク上下片３１、３２は、直角よりも大きい鈍角で略Ｖ（または略Ｕ）字状に屈曲する折り曲げ部３４を介して、各ヨーク本体２１、２２のヨーク対向部２４の板幅方向の一端縁（２つの第１、第２分割ヨーク４、５毎で互いに異なる側）に接続している。また、各ヨーク上下片３１、３２は、折り曲げ部３４から、センサ装着部３３の先端に向けて、各ヨーク本体２１、２２の面方向に直交する垂直線に対して傾斜して真っ直ぐに延びる直線部３５を有している。また、直線部３５の先端側には、磁束検出ギャップを隔てて、互いに対向して配置されるセンサ装着部（ヨーク対向部）３３が設けられている。
【００４４】
各ヨーク上下片３１、３２は、各ヨーク対向部２４の板幅方向の一端縁より板幅方向の一方側に突出する突起片を、各ヨーク対向部２４の板幅方向の一端縁近傍を中心にして、スロットル開度センサ側（板厚方向の一方側）に折り曲げることで形成されている。各ヨーク本体２１、２２に対する各ヨーク上下片３１、３２の折り曲げ角度は、スロットル開度センサ３が各ヨーク本体２１、２２の板幅寸法内に納まる角度に設定されている。また、各ヨーク本体２１、２２に対する各ヨーク上下片３１、３２は、略同一の角度に設定されている。そして、各ヨーク上下片３１、３２は、センサ装着部３３の対向面が、スロットル開度センサ３の両感磁面に直接接触する当接面として利用されている。そして、センサ装着部３３は、スロットル開度センサ３をその板厚方向の両側から挟み込んだ状態で、スロットル開度センサ３を例えば接着剤等により保持固定するセンサ保持部としての機能を有している。
【００４５】
ここで、図１（ｂ）において図示上側に配置されるヨーク上片３１のセンサ装着部３３は、スロットル開度センサ３の一方側の感磁面に密着または接触した状態で、スロットル開度センサ３の板厚方向の図示上方側からスロットル開度センサ３を押さえ込むように保持するセンサ上部側装着部を構成している。また、図１（ｂ）において図示下側に配置されるヨーク下片３２のセンサ装着部３３は、スロットル開度センサ３の他方側の感磁面に密着または接触した状態で、スロットル開度センサ３の板厚方向の図示下方側からスロットル開度センサ３を押さえ込むように保持するセンサ下部側装着部を構成している。
【００４６】
磁束検出ギャップは、２つの第１、第２分割ヨーク４、５毎に形成される各ヨーク上下片３１、３２のセンサ装着部３３間に形成された一定幅のギャップである。この磁束検出ギャップには、マグネット２の回転中心とホールＩＣの板厚方向の中心とが同一軸線上に位置するように、スロットル開度センサ３が配置されている。また、磁束検出ギャップは、マグネット２、スロットル開度センサ３および２つの第１、第２分割ヨーク４、５によって構成される磁気回路の途中に設けられている。
【００４７】
吸気モジュールカバー１１は、磁性材料（例えばニッケルを８０％含有した鉄系の金属材料）によって容器形状に形成されている。この吸気モジュールカバー１１は、プレート１２の図示上端面との間にセンサ収容空間１７を形成している。そして、吸気モジュールカバー１１には、プレート１２の周囲を取り囲むように筒壁部（側壁部）４１が一体的に形成されている。この筒壁部４１のハウジング側（図１（ａ）において図示下方側）は、プレート１２のプレートベース部によって閉塞されている。また、筒壁部４１のハウジング側に対して反対側（図１（ａ）において図示上方側）は、センサ収容空間１７の上層部を覆う天壁板（上壁部）４２によって閉塞されている。また、吸気モジュールカバー１１の筒壁部４１には、外部に向けて開口した開口部が設けられている。この開口部には、プレート１２に一体的に形成されたコネクタが嵌め込まれて保持固定される。
【００４８】
ここで、プレート１２およびコネクタが組み付けられた吸気モジュールカバー１１の内部、つまりセンサ収容空間１７には、エポキシ系の熱硬化性樹脂（電気絶縁性のモールド樹脂）が充填されている。この熱硬化性樹脂は、スロットル開度センサ３のリード端子群の各リード端子、コネクタのコネクタ端子群の各コネクタ端子、スロットル開度センサ３のリード端子群の各リード端子とコネクタのコネクタ端子群の各コネクタ端子とを電気的に接続する複数の導体（絶縁被膜を施した導体（銅線）、あるいは導電板等）を封止する封止部材（ポッティング剤）である。
【００４９】
そして、吸気モジュールカバー１１の筒壁部４１には、センサ収容空間１７の中央部側に向けて突出する２つの凹部（係止部）４３、４４が設けられている。これらの凹部４３、４４は、プレート１２に一体的に形成される２つのセンサ保持部５１、５２の形成方向に平行に配設されている。そして、２つの凹部４３、４４は、熱硬化性樹脂と吸気モジュールカバー１１の筒壁部４１との接触面積を増加させることで、線膨張係数の差に伴う熱硬化性樹脂および熱硬化性樹脂内に封止される電気部品の線膨張移動を抑えている。
【００５０】
なお、２つの凹部４３、４４の代わりに、吸気モジュールカバー１１の筒壁部４１を外部側に打ち出しを行って吸気モジュールカバー１１の筒壁部４１に複数の凸部を設けても良い。また、熱硬化性樹脂との接触面積を増加して熱硬化性樹脂の線膨張移動がし難くなるように熱硬化性樹脂を係止する凹部（または凸部）等の係止部を、センサ収容空間１７の全周を取り囲むように環状に設けても良い。この場合、例えば周方向に所定の間隔で凹部（または凸部）等の係止部を設けても良い。また、図２に示したように、吸気モジュールカバー１１の筒壁部４１に係止部を設けなくても良い。
【００５１】
プレート１２は、非磁性材料（例えば熱可塑性樹脂等の樹脂材料）によって一体的に形成されている。このプレート１２は、ハウジング１４の図示上端面に密着した状態で設置されるプレートベース部、およびこのプレートベース部よりも板厚の厚いプレート肉厚部５３、５４を有している。このプレート肉厚部５３、５４は、プレートベース部の図示上端面を通る基準面よりも図示上方に突出するように配設された凸状のセンサ保持部（ヨーク保持部）５１、５２を有している。これらのセンサ保持部５１、５２は、２つの第１、第２分割ヨーク４、５毎に形成される各ヨーク本体２１、２２を圧入嵌合等によってそれぞれ嵌合保持する凹溝形状の嵌合溝６１、６２を有している。なお、２つの第１、第２分割ヨーク４、５毎に形成される各ヨーク本体２１、２２を嵌合溝６１、６２内に接着剤等を用いて支持固定しても良い。また、プレート１２のプレートベース部、特に２つのセンサ保持部５１、５２間には、シャフト貫通孔１５が形成されている。
【００５２】
プレート１２の側方部には、スロットル開度センサ３の本体部（樹脂ハウジング）より引き出されたリード端子群に対応して設けられるコネクタ端子群を集中配置した１個のコネクタハウジング（以下コネクタと略す：図３参照）１３が一体的に形成されている。このコネクタ１３は、コネクタ端子群を保持する端子台、およびこの端子台よりも外部側に設けられた角筒状のコネクタシェルを有し、ＥＣＵ側のワイヤハーネスとプレート１２に搭載されたスロットル開度センサ３とを接続する機器である。
【００５３】
ハウジング１４は、アルミニウムを主体とするアルミニウム合金よりなるダイカスト製品またはアルミニウム鋳物であって、アルミニウム合金によって所定の形状に形成されている。このハウジング１４は、プレート１２および吸気モジュールカバー１１を、スロットルボディの円筒部の外壁面に装着するためのブラケットとしての機能を有している。そして、ハウジング１４の図示上端面（ハウジング上端面）には、プレート１２が搭載されている。また、ハウジング１４には、シャフト貫通孔１６が形成されている。また、ハウジング１４には、吸気モジュールカバー１１の筒壁部４１がかしめ固定されるフランジ部６３が一体的に形成されている。
本実施例では、吸気モジュールカバー１１の筒壁部４１の結合端面（内周面）とハウジング１４のフランジ部６３の結合端面（外周面）とが面接触した状態で、吸気モジュールカバー１１がハウジング１４にかしめ等の結合手段を用いて結合固定されている。
【００５４】
［実施例１の作用］
次に、本実施例の回転角度検出装置を備えた吸気モジュールの作用を図１および図２に基づいて簡単に説明する。
【００５５】
運転者によってスロットルレバーまたはスロットルハンドル等のスロットル操作部品が操作されると、スロットル操作部品にワイヤーケーブルを介して連結されたアクセルレバーが回転する。これに伴って、運転者のスロットル操作量に応じてスロットルバルブがシャフト１の軸心（回転軸）を中心にして回転する。これにより、エンジンの燃焼室に連通するスロットルボアが開かれるので、エンジン回転速度が運転者のスロットル操作量に対応した速度に変更される。
【００５６】
ここで、エンジンのアイドル運転時、つまりスロットルバルブの全閉時には、マグネット２の回転角度が、スロットルバルブの使用角度範囲における最小角度（例えば０ｄｅｇ）となる。この場合には、マグネット２の板長さ方向の軸線とスロットル開度センサ３の板厚方向の中心軸線とが直線上に位置する。
この場合、マグネット２の着磁方向（板長さ方向）の一方側の磁極（例えばＮ極またはＳ極）→第１分割ヨーク４のヨーク上片３１（直線部３５→折り曲げ部３４）→第１分割ヨーク４のヨーク本体２１（ヨーク対向部２４→直線部２５→ヨーク開放端部２３）→マグネット２の着磁方向（板長さ方向）の他方側の磁極（例えばＳ極またはＮ極）の経路で、マグネット２の磁極面より出た磁束が流れる磁気回路が形成される。また、マグネット２のＮ極（またはＳ極）→第２分割ヨーク５のヨーク下片３２（直線部３５→折り曲げ部３４）→第２分割ヨーク５のヨーク本体２２（ヨーク対向部２４→直線部２５→ヨーク開放端部２３）→マグネット２のＳ極（またはＮ極）の経路で、マグネット２の磁極面より出た磁束が流れる磁気回路が形成される。
このとき、マグネット２の着磁方向（板長さ方向）の一方側の磁極から出た磁束は、磁束検出ギャップを通過しないため、マグネット２の回転角度に対するスロットル開度センサ３のホールＩＣの出力は、スロットルバルブの使用角度範囲における最小出力値（ほぼ０（ゼロ））となる。
【００５７】
また、運転者がスロットル操作部品を操作して、スロットルバルブが全閉位置と全開位置との中間開度まで開かれると、マグネット２の回転角度が、スロットルバルブの使用角度範囲における中間角度（例えば４５ｄｅｇ）となる。すなわち、マグネット２をその回転中心を中心にして回転角度０ｄｅｇの状態から４５ｄｅｇ分だけ図１（ｂ）および図２（ｂ）において図示左回転させ、マグネット２の回転角度を４５ｄｅｇにする。このとき、マグネット２の着磁方向（板長さ方向）に対して、磁束検出ギャップを通過する磁束密度（ホールＩＣに鎖交する磁束密度）が比較的に中程度となる位置関係となる。
この場合には、マグネット２のＮ極（またはＳ極）→第１分割ヨーク４のヨーク本体２１（直線部２５→ヨーク開放端部２３）→マグネット２のＳ極（またはＮ極）の経路で、マグネット２の磁極面より出た磁束が流れる磁気回路が形成される。また、マグネット２のＮ極（またはＳ極）→第１分割ヨーク４のヨーク本体２１（直線部２５→ヨーク対向部２４）→第１分割ヨーク４のヨーク上片３１（折り曲げ部３４→直線部３５→センサ装着部３３）→磁束検出ギャップ（スロットル開度センサ３）→第２分割ヨーク５のヨーク下片３２（センサ装着部３３→直線部３５→折り曲げ部３４）→第２分割ヨーク５のヨーク本体２２（ヨーク対向部２４→直線部２５→ヨーク開放端部２３）→マグネット２のＳ極（またはＮ極）の経路で、マグネット２の磁極面より出た磁束が流れる磁気回路が形成される。
これにより、マグネット２の回転角度に対するスロットル開度センサ３のホールＩＣの出力は、スロットルバルブの使用角度範囲における最小出力値と最大出力値との間の中程度の出力値となる。
【００５８】
また、運転者がスロットル操作部品を操作して、スロットルバルブが全開位置まで開かれると、マグネット２の回転角度が、スロットルバルブの使用角度範囲における最大角度（例えば９０ｄｅｇ）となる。すなわち、マグネット２をその回転中心を中心にして回転角度４５ｄｅｇの状態から４５ｄｅｇ分だけ図１（ｂ）および図２（ｂ）において図示左回転させ、マグネット２の回転角度を９０ｄｅｇにする。このとき、マグネット２の板長さ方向の軸線とスロットル開度センサ３の板厚方向の中心軸線とが直交する位置関係となる（図１（ｂ）および図１（ｃ）参照）。
この場合には、マグネット２のＮ極（またはＳ極）→第１分割ヨーク４のヨーク本体２１（ヨーク開放端部２３→直線部２５→ヨーク対向部２４）→第１分割ヨーク４のヨーク上片３１（折り曲げ部３４→直線部３５→センサ装着部３３）→磁束検出ギャップ（スロットル開度センサ３）→第２分割ヨーク５のヨーク下片３２（センサ装着部３３→直線部３５→折り曲げ部３４）→第２分割ヨーク５のヨーク本体２２（ヨーク対向部２４→直線部２５→ヨーク開放端部２３）→マグネット２のＳ極（またはＮ極）の経路で、マグネット２の磁極面より出た磁束が流れる磁気回路が形成される。
これにより、マグネット２の磁極面から出た殆どの磁束は、磁束検出ギャップを通過するため、マグネット２の回転角度に対するスロットル開度センサ３のホールＩＣの出力は、スロットルバルブの使用角度範囲における最大出力値となる。
【００５９】
したがって、マグネット２の回転角度の変化に伴って磁束検出ギャップを通過する磁束密度（ホールＩＣに鎖交する磁束密度）が変化し、ホールＩＣに鎖交する磁束密度の変化に伴ってホールＩＣの出力が変化する。これにより、スロットル開度センサ３によって、マグネット２の回転角度に対するホールＩＣの出力変化特性を利用してスロットルバルブの回転角度に相当するスロットル開度が検出される。
そして、スロットル開度センサ３のホールＩＣより出力された電気信号（スロットル開度信号）を入力したＥＣＵは、電子制御式燃料噴射装置に必要な制御目標値（燃料噴射時期や燃料噴射量等）を演算する。
【００６０】
ＥＣＵは、例えば吸気圧センサによってスロットルバルブよりも吸気流方向の下流側の吸気管圧力を検出して間接的に吸入空気量を演算し、この演算した吸入空気量と計測したエンジン回転速度とから基本噴射時間（基本噴射量）を計算する。そして、この基本噴射時間に、スロットル開度センサ３のホールＩＣの出力値に応じた補正量（噴射量補正量）を加味して最終噴射時間（燃料噴射量、目標噴射量）を決定する。また、ＥＣＵは、エンジンの吸気工程前に燃料噴射が終了するように燃料噴射時期（タイミング、目標噴射時期）および燃料噴射量を最適化している。
【００６１】
［実施例１の効果］
以上のように、本実施例の回転角度検出装置においては、開放型ヨークの２つの第１、第２分割ヨーク４、５毎に形成される各ヨーク上下片３１、３２でスロットル開度センサ３をその板厚方向の両側から挟み込んでいる。すなわち、２つの第１、第２分割ヨーク４、５のうちの一方の第１分割ヨーク４のヨーク上片３１のセンサ装着部３３と、他方の第２分割ヨーク５のヨーク下片３２のセンサ装着部３３とで、スロットル開度センサ３の本体部（樹脂ハウジング）を挟み込むことにより、スロットル開度センサ３の両感磁面と２つの第１、第２分割ヨーク４、５毎に形成される各ヨーク上下片３１、３２の両対向面との間の隙間がなくなるので、その隙間を高精度に管理する必要がなくなる。これにより、製品間の隙間のばらつきがなくなるので、製品間の特性ばらつきを解消させることができる。すなわち、マグネット２の回転角度に対するホールＩＣの出力変化特性の安定化を図ることができるので、製品間の検出精度のばらつきを抑えることができる。
【００６２】
また、２つの第１、第２分割ヨーク４、５毎に形成される各ヨーク本体２１、２２に対する各ヨーク上下片３１、３２の折り曲げ角度を、スロットル開度センサ３が各ヨーク本体２１、２２の板幅寸法内に納まる角度に設定し、且つ直角よりも大きい鈍角に設定することにより、製品の板幅寸法の大型化を抑えることができる。これにより、製品の搭載スペースを容易に確保することができる。また、２つの第１、第２分割ヨーク４、５は、各ヨーク本体２１、２２の先端側（開放側）の端部（マグネット側の端部：ヨーク開放端部２３）が、板幅方向の寸法が最も大きい最大幅部を構成している。また、２つの第１、第２分割ヨーク４、５は、各ヨーク上下片３１、３２の先端側の端部（スロットル開度センサ側の端部：センサ装着部３３の先端部）が、板幅方向の寸法が最も小さい最小幅部を構成している。この最小幅部の板幅寸法は、少なくともマグネット２の板厚寸法以上の板幅寸法を有している。これにより、マグネット２より出た磁束を、スロットル開度センサ３、特にホールＩＣに効率良く集中させることができるので、ホールＩＣに効率良く鎖交させることができるので、ホールＩＣの出力が大きくなる。
【００６３】
そして、２つの第１、第２分割ヨーク４、５の最大幅部であるヨーク開放端部２３の板幅寸法内（ヨーク高さ寸法内）で、薄い板状のスロットル開度センサ３を傾け、２つの第１、第２分割ヨーク４、５毎に形成される各ヨーク本体２１、２２に対する各ヨーク上下片３１、３２の折り曲げ角度を合わせることにより、開放型ヨークを構成する部品（プレート状ヨーク）の共通化を図ることができる。すなわち、１種類のプレート状ヨーク（磁性体）を組み合わせることで開放型ヨーク（２つの第１、第２分割ヨーク４、５）を構成することにより、部品の共通化を図ることができるので、コストを削減することができる。
【００６４】
そして、２つの第１、第２分割ヨーク４、５は、ヨーク開放端部２３から、センサ装着部３３の先端に向けて、その板幅が段階的または連続的に徐々に減少するように、つまり先細りとなるように（ヨーク開放端部２３からセンサ装着部３３の先端または磁束検出ギャップに向けて磁束が収束するように）形成されている。これにより、例えばスロットル開度センサ３のサイズが小さくても、マグネット２の着磁面（磁極面）より出た磁束を、スロットル開度センサ３、特にホールＩＣに効率良く導くことができる。すなわち、マグネット２の着磁面（磁極面）より出た磁束を、スロットル開度センサ３、特にホールＩＣに集中させることができる。このため、ホールＩＣに効率良く鎖交させることができるので、ホールＩＣの出力が大きくなる。
したがって、スロットル開度センサ３および開放型ヨークよりなる製品の最小体格設計が可能となる。
【００６５】
また、本実施例の回転角度検出装置においては、プレート１２のプレートベース部の図示上端面との間にセンサ収容空間１７を形成する吸気モジュールカバー１１を磁性材料（鉄系の金属材料）によって形成している。これによって、外部磁界（例えばオルタネータ等）および磁性体（鉄系のスクリュー）が、回転角度検出装置に接近した状態で設置されていても、磁性体よりなる吸気モジュールカバー１１で外部磁界および磁性体からの磁気を吸収することができる。これにより、スロットル開度センサ３、特にホールＩＣへの外部磁界および磁性体からの影響が受け難くなり、また、少なくなり、マグネット２の回転角度に対するホールＩＣの出力変化特性の変化を抑えることができる。すなわち、製品の品質向上を図ることができる。
【００６６】
また、本実施例の回転角度検出装置においては、吸気モジュールカバー１１を電気抵抗の小さい磁性材料によって製造し、ハウジング１４を電気抵抗の小さいアルミニウム合金によって製造している。また、ハウジング１４の体積を吸気モジュールカバー１１よりも大きくしている。そして、吸気モジュールカバー１１の筒壁部４１の結合端面（内周面）とハウジング１４のフランジ部６３の結合端面（外周面）とを面接触させている。
これによって、吸気モジュールカバー１１に到達した電波ノイズが、電気抵抗の小さい吸気モジュールカバー１１の筒壁部４１の結合端面から、体積の大きいハウジング１４のフランジ部６３へ逃がされるので、スロットル開度センサ３、特にホールＩＣが電波ノイズからの影響を受け難くなり、マグネット２の回転角度に対するホールＩＣの出力変化特性の変化を最小限に抑えることができる。すなわち、製品の品質向上を図ることができる。
【００６７】
また、本実施例の回転角度検出装置においては、線膨張係数の小さい吸気モジュールカバー１１の筒壁部４１で、アルミニウム合金製のハウジング１４のフランジ部６３をかしめ固定することで、吸気モジュールカバー１１の内部に充填されるエポキシ系の熱硬化性樹脂の線膨張移動を抑制することができる。また、本実施例の回転角度検出装置においては、吸気モジュールカバー１１の筒壁部４１に、センサ収容空間１７の中央部側に向けて突出する２つの凹部４３、４４を形成している。これにより、吸気モジュールカバー１１の内部に充填されるエポキシ系の熱硬化性樹脂は、２つの凹部４３、４４に拘束されるため、熱硬化性樹脂に封止されるスロットル開度センサ３および開放型ヨーク等の内部部品の線膨張移動を最小限に抑えることができる。
【００６８】
これによって、マグネット２の回転角度に対するホールＩＣの出力変化特性の安定化を図ることができるので、製品間の検出精度のばらつきを抑えることができる。
また、スロットル開度センサ３のリード端子群とコネクタ１３のコネクタ端子群とを電気的に接続する複数の導体の断線等の導通不良を防止することができるので、スロットル開度センサ３の信頼性を向上することができる。すなわち、製品の品質向上を図ることができる。
また、スロットル開度センサ３のリード端子群とコネクタ１３のコネクタ端子群とを電気的に接続する複数の導体からの熱硬化性樹脂の剥離による、スロットル開度センサ３のリード端子群の各リード端子間、複数の導体間、コネクタ１３のコネクタ端子群の各コネクタ端子間の電気絶縁性を低下させる現象（マイグレーション）の発生を防止することができる。
【実施例２】
【００６９】
［実施例２の構成］
図３ないし図５は本発明の実施例２を示したもので、図３は回転角度検出装置を備えた吸気モジュールを示した図で、図４は吸気温センサを示した図で、図５は吸気圧センサを示した図である。
【００７０】
本実施例の吸気モジュールは、マグネット２、スロットル開度センサ３および開放型ヨーク等によって構成される回転角度検出装置（実施例１参照）の他に、エンジンの燃焼室内に供給される吸入空気の温度（吸気温）を電気信号に変換してＥＣＵに出力する吸気温センサ６、およびエンジンの燃焼室内に供給される吸入空気の圧力（吸気圧）を電気信号に変換してＥＣＵに出力する吸気圧センサ７を搭載している。
【００７１】
吸気温センサ６は、吸気温の変化に対応して抵抗値が変化するサーミスタ等の温度検出素子を有している。また、吸気温センサ６は、先端部が吸気通路の内部で露出するように配設されて、エポキシ樹脂内にサーミスタを封止したサーミスタ部７１を有している。また、吸気温センサ６の本体部を構成する樹脂ハウジング（封止部材）７２内には、一対のターミナル７３が封止されており、これらのターミナル間にサーミスタが固定（電気的に接続）されており、一対のターミナル７３のサーミスタ側に対して反対側の端部がリード端子群として樹脂ハウジング７２より引き出されている。
そのリード端子群は、サーミスタの出力側に接続する１つの出力側リード端子（温度センサ出力端子）、およびサーミスタの電源側に接続する１つの電源側リード端子（温度センサ電源端子）よりなる。
【００７２】
吸気圧センサ７は、空気導入通路（センシングポート）より導入される吸気圧を電気信号に変換するピエゾ抵抗素子等の圧力検出素子、およびこの圧力検出素子より出力される電気信号を増幅する増幅回路等の圧力検出回路を有している。圧力検出素子および圧力検出回路は、吸気圧センサ７の本体部を構成する樹脂ハウジング（封止部材）７４内に封止されている。そして、圧力検出素子および圧力検出回路を内蔵する樹脂ハウジング７４からは、リード端子群が引き出されている。
そのリード端子群は、圧力検出回路のグランド端子に接続する１つのグランド（ＧＮＤ）側リード端子（圧力センサＧＮＤ端子）、圧力検出回路の出力端子に接続する１つの出力側リード端子（圧力センサ出力端子）、および圧力検出回路の電源端子に接続する１つの電源側リード端子（圧力センサ電源端子）よりなる。
【００７３】
また、本実施例の吸気モジュールカバー１１の内部には、回転角度検出装置の本体部（開放型ヨークの２つの第１、第２分割ヨーク４、５毎に形成される各ヨーク本体２１、２２）、吸気温センサ６および吸気圧センサ７の各本体部を保持固定するプレート１２が嵌め込まれている。このプレート１２の側方部には、スロットル開度センサ３、吸気温センサ６および吸気圧センサ７の各本体部（樹脂ハウジング）より引き出されたリード端子群に対応して設けられるコネクタ端子群を集中配置した１個のコネクタ１３が一体的に形成されている。なお、吸気モジュールカバー１１の筒壁部４１には、外部に向けて開口した開口部４５が設けられている。
【００７４】
コネクタ１３は、吸気モジュールカバー１１の筒壁部４１の外壁面より外部側に突出するように、筒壁部４１の開口部４５に液密的に嵌め込まれている。そして、コネクタ１３は、コネクタ端子群を保持する端子台、およびこの端子台よりも外部側に設けられた角筒状のコネクタシェルを有し、ＥＣＵ側のワイヤハーネスとプレート１２に搭載されたスロットル開度センサ３、吸気温センサ６および吸気圧センサ７のリード端子群とを接続する機器である。
【００７５】
コネクタ端子群は、複数の導体を介して、スロットル開度センサ３、吸気温センサ６および吸気圧センサ７のリード端子群の各リード端子に電気的に接続される５つの第１〜第５コネクタ端子（センサ側コネクタ端子、外部接続端子、ターミナル）よりなる。
第１コネクタ端子は、吸気温センサ６のリード端子群の出力側リード端子に電気的に接続されている。第２コネクタ端子は、スロットル開度センサ３のリード端子群の出力側リード端子に電気的に接続されている。第３コネクタ端子は、吸気圧センサ７のリード端子群のＧＮＤ側リード端子に電気的に接続され、且つスロットル開度センサ３のリード端子群のＧＮＤ側リード端子に電気的に接続されている。第４コネクタ端子は、吸気圧センサ７のリード端子群の出力側リード端子に電気的に接続されている。第５コネクタ端子は、吸気温センサ６のリード端子群の電源側リード端子に電気的に接続され、吸気圧センサ７のリード端子群の電源側リード端子に電気的に接続され、且つスロットル開度センサ３のリード端子群の電源側リード端子に電気的に接続されている。
【００７６】
ここで、吸気モジュールカバー１１の内部、すなわち、センサ収容空間１７内には、実施例１と同様に、エポキシ系の熱硬化性樹脂が充填されている。この熱硬化性樹脂は、スロットル開度センサ３のリード端子群の各リード端子、吸気温センサ６のリード端子群の各リード端子、吸気圧センサ７のリード端子群の各リード端子、複数の導体、コネクタ１３のコネクタ端子群の各コネクタ端子を封止する封止部材である。
【００７７】
ここで、ＥＣＵには、制御処理や演算処理を行うＣＰＵ、各種プログラムや各種データを保存する記憶装置（ＲＯＭ、ＲＡＭ等のメモリ）、入力回路、出力回路等の機能を含んで構成される周知の構造のマイクロコンピュータが設けられている。そして、ＥＣＵは、図示しないイグニッションスイッチをオン（ＩＧ・ＯＮ）すると、メモリ内に格納された制御プログラムまたは制御ロジックに基づいて、インジェクタを電子制御する。なお、ＥＣＵは、イグニッションスイッチがオフ（ＩＧ・ＯＦＦ）されると、制御プログラムまたは制御ロジックに基づく上記の制御が強制的に終了されるように構成されている。
【００７８】
また、ＥＣＵには、スロットル開度センサ３、吸気温センサ６および吸気圧センサ７の各種センサからのセンサ信号がＡ／Ｄ変換器によってＡ／Ｄ変換された後に、ＥＣＵに内蔵されたマイクロコンピュータに入力されるように構成されている。また、ＥＣＵには、エンジンのクランクシャフトの回転角度を検出するクランク角度センサ、エンジンの燃焼室内に吸入される吸入空気量を検出する吸入空気量センサ等の各種センサからのセンサ信号がＡ／Ｄ変換器によってＡ／Ｄ変換された後に、ＥＣＵに内蔵されたマイクロコンピュータに入力されるように構成されている。
【００７９】
［実施例２の作用］
次に、本実施例のエンジン吸気管に組み込まれた吸気モジュールの作用を図３ないし図５に基づいて簡単に説明する。
【００８０】
運転者によってスロットルレバーまたはスロットルハンドル等のスロットル操作部品が操作されると、スロットル操作部品にワイヤケーブルを介して連結されたアクセルレバーが回転する。アクセルレバーが回転すると、このアクセルレバーに連結されたシャフト１が回転する。これに伴って、運転者のスロットル操作量に応じてスロットルバルブがシャフト１の軸心を中心にして回転する。これにより、エンジンの燃焼室に連通する吸気通路が開かれるので、エンジン回転速度が運転者のスロットル操作量に対応した速度に変更される。このとき、スロットル開度センサ３、吸気温センサ６および吸気圧センサ７の各種センサからのセンサ信号を入力したＥＣＵは、電子制御式燃料噴射装置に必要な制御目標値を演算する。
【００８１】
ＥＣＵは、例えば吸気圧センサ７によってスロットルバルブよりも吸気方向の下流側の吸気管圧力を検出して間接的に吸入空気量を演算し、この演算した吸入空気量と計測したエンジン回転速度とから基本噴射時間を計算する。そして、この基本噴射時間に、吸気温センサ６およびホールＩＣの各種センサからのセンサ信号による補正量を加味して最終噴射時間（燃料噴射量）を決定する。また、ＥＣＵは、エンジンの吸気工程前に燃料噴射が終了するように燃料噴射時期（タイミング）および燃料噴射量を最適化している。
【実施例３】
【００８２】
図６ないし図１０は本発明の実施例３を示したもので、図６は吸気モジュールの全体構成を示した図で、図７は熱硬化性樹脂の注入用開口部を示した図で、図８は吸気モジュールの主要構成を示した図で、図９および図１０は回転角度検出装置の主要構成を示した図である。
【００８３】
本実施例の吸気モジュールは、マグネット２、スロットル開度センサ３および開放型ヨーク等によって構成される回転角度検出装置、エンジンの燃焼室内に供給される吸入空気の温度（吸気温）を電気信号に変換してＥＣＵに出力する吸気温センサ６、およびエンジンの燃焼室内に供給される吸入空気の圧力（吸気圧）を電気信号に変換してＥＣＵに出力する吸気圧センサ７を搭載している。
また、本実施例のプレート１２には、センサ収容空間１７内にエポキシ系の熱硬化性樹脂（モールド樹脂）１０を注入するための樹脂注入口５７が形成されている。したがって、スロットル開度センサ３のリード端子群の各リード端子、コネクタ１３のコネクタ端子群の各コネクタ端子およびスロットル開度センサ３のリード端子群の各リード端子とコネクタ１３のコネクタ端子群の各コネクタ端子とを電気的に接続する複数の導体（絶縁被膜を施した導体（銅線）、あるいは導電板等）は、プレート１２の樹脂注入口５７よりセンサ収容空間１７内に注入される電気絶縁性のモールド樹脂１０によってモールドされている。
【００８４】
本実施例の開放型ヨークは、２つの第１、第２分割ヨーク４、５毎に形成されるヨーク本体２１、２２の途中に、マグネット側に円弧状に折り曲げられた湾曲部２６を有している。また、本実施例の吸気モジュールカバー１１の筒壁部４１の外周またはプレート１２のプレートベース部には、ハウジング１４のフランジ部６３の上端面に当接する取付部５５が一体的に形成されている。そして、吸気モジュールカバー１１またはプレート１２の取付部５５は、ハウジング１４のフランジ部６３の上端面に締結用スクリュー（例えば鉄系の磁性体）６４によって締め付け固定される。また、プレート１２のプレートベース部には、スロットルバルブのシャフト１のマグネット装着部を回転自在に収容する凸状の円筒部５６が一体的に形成されている。この円筒部５６は、２つのプレート肉厚部５３、５４（ヨーク保持部５１、５２）間に形成されて、内部にマグネット２を回転自在に収容するマグネット収容部１９が形成されている。なお、６５は締結用スクリュー６４が貫通する丸孔形状の貫通孔である。
【００８５】
ここで、本実施例の回転角度検出装置においては、スロットル開度センサ３および２つの分割ヨーク４、５の近傍に、締結用スクリュー（例えば鉄系の磁性体）６４が設置されているが、吸気モジュールカバー１１を磁性材料（鉄系の金属材料）によって形成することで、磁性体よりなる吸気モジュールカバー１１によって、締結用スクリュー（例えば鉄系の磁性体）６４による磁気影響を吸収することができる。これにより、スロットル開度センサ３、特にホールＩＣへの締結用スクリュー（例えば鉄系の磁性体）６４による磁気影響を受け難くなり、また、少なくなり、マグネット２の回転角度に対するホールＩＣの出力変化特性の変化を抑えることができる。
【実施例４】
【００８６】
図１１は本発明の実施例４を示したもので、図１１は回転角度検出装置の主要構成を示した図である。
【００８７】
本実施例の開放型ヨークは、分割された２つの第１、第２分割ヨーク（分割部）４、５よりなり、２種類のプレート状ヨークを、マグネット収容空間（磁石収容空間）１９を隔てて向かい合うように組み合わせて構成されている。
２つの第１、第２分割ヨーク４、５は、鉄等の磁性材料によって所定の形状に形成されており、マグネット２より出た磁束をスロットル開度センサ３、特にホールＩＣ（非接触式の磁気検出素子）に集中させるための１組のプレート状ヨーク（磁性体）である。
【００８８】
第１分割ヨーク４は、片側が開放されたヨーク本体２１、およびこのヨーク本体２１に対して所定の折り曲げ角度で折り曲げられたヨーク下片９１を有している。
第１分割ヨーク４のヨーク下片９１は、直角よりも大きい鈍角で略Ｖ（または略Ｕ）字状に屈曲する折り曲げ部３４を介して、ヨーク本体２１のヨーク対向部２４の板幅方向の一端縁に接続している。また、第１分割ヨーク４のヨーク下片９１は、ヨーク本体２１のヨーク対向部２４の板幅方向の一端縁より板幅方向の一方側に突出する突起片を、ヨーク対向部２４の板幅方向の一端縁近傍を中心にして、スロットル開度センサ側（板厚方向の一方側の感磁面）に回り込むように折り曲げることで形成されている。これにより、第１分割ヨーク４のセンサ装着部（ヨーク対向部）３３は、第１分割ヨーク４のヨーク下片９１の背面側に形成される。
【００８９】
また、第２分割ヨーク５は、片側が開放されたヨーク本体２２、およびこのヨーク本体２２に対して所定の折り曲げ角度で折り曲げられたヨーク上片９２を有している。
第２分割ヨーク５のヨーク上片９２は、略直角で略Ｖ（または略Ｕ）字状に屈曲する折り曲げ部３４を介して、ヨーク本体２２のヨーク対向部２４の板幅方向の一端縁（第１分割ヨーク４と同じ側）に接続している。また、第２分割ヨーク５のヨーク上片９２は、ヨーク本体２２のヨーク対向部２４の板幅方向の一端縁より板幅方向の一方側に突出する突起片を、ヨーク対向部２４の板幅方向の一端縁近傍を中心にして、スロットル開度センサ側（板厚方向の他方側の感磁面）に当接するように折り曲げることで形成されている。これにより、第２分割ヨーク５のセンサ装着部（ヨーク対向部）３３は、第２分割ヨーク５のヨーク上片９２の表面側に形成される。
なお、本実施例の２つの第１、第２分割ヨーク４、５のセンサ装着部３３は、折り曲げ部３４の板幅よりも小さい板幅寸法となっている。
【００９０】
［変形例］
本実施例では、本発明の回転角度検出装置を、スロットルバルブの回転角度に相当するスロットル開度を検出するスロットル開度検出装置に適用しているが、本発明の回転角度検出装置を、アクセルペダルの踏み込み量に相当するアクセル開度を検出するアクセル開度検出装置に適用しても良い。また、本発明の回転角度検出装置を、ハウジング内に形成される流体流路を開閉するバルブ（排気ガス還流量制御弁等の空気流量制御弁の弁体）の回転角度を検出する回転角度検出装置に適用しても良い。また、本発明の回転角度検出装置を、スロットルバルブを電動モータ等の動力源の駆動力を利用して開弁駆動するものに用いても良い。
【００９１】
本実施例では、磁石として、板状（または柱状）のマグネット２を用いたが、磁石として、細い針状または細い棒状の磁石を用いても良い。特に、互いに極性が逆向きになるように着磁される板長さ方向の両端部が細ければ細い程、マグネット２の回転角度に対するホールＩＣの出力電圧のリニアリティ（ホールＩＣの出力変化特性の直線性）を改善できる。なお、マグネット２として、ポリアミド樹脂（ＰＡ）、Ｎｄ、Ｆｅ、Ｂ粉末を焼結した樹脂磁石を用いても良い。また、磁石として、通電されると起磁力を発生する電磁石を用いても良い。また、磁石として、永久磁石とロータコア（磁性体）とで構成されるマグネットロータを用いても良い。
【００９２】
本実施例では、検出対象物の使用角度範囲として、０ｄｅｇ〜９０ｄｅｇを採用しているが、検出対象物の使用角度範囲として、−４５ｄｅｇ〜＋４５ｄｅｇ、−９０ｄｅｇ〜０ｄｅｇ等を採用しても良い。また、スロットルバルブの開弁作動方向を、マグネット２の回転中心を中心にして図示左回転方向としているが、スロットルバルブの開弁作動方向を、マグネット２の回転中心を中心にして図示右回転方向としても良い。また、検出対象物の使用角度範囲を実施例１及び２よりも大きくしても良い。この場合には、検出対象物の使用角度範囲として、０ｄｅｇ〜８０ｄｅｇ、−８０ｄｅｇ〜＋８０ｄｅｇ等を用いる。
【図面の簡単な説明】
【００９３】
【図１】（ａ）〜（ｃ）は回転角度検出装置の全体構成を示した概略図である（実施例１）。
【図２】（ａ）〜（ｃ）は回転角度検出装置の主要構成を示した概略図である（実施例１）。
【図３】吸気モジュールの全体構成を示した概略図である（実施例２）。
【図４】吸気温センサを示した斜視図である（実施例２）。
【図５】吸気圧センサを示した斜視図である（実施例２）。
【図６】吸気モジュールの全体構成を示した斜視図である（実施例３）。
【図７】熱硬化性樹脂の注入用開口部を示した斜視図である（実施例３）。
【図８】吸気モジュールの主要構成を示した斜視図である（実施例３）。
【図９】回転角度検出装置の主要構成を示した斜視図である（実施例３）。
【図１０】回転角度検出装置の主要構成を示した正面図である（実施例３）。
【図１１】回転角度検出装置の主要構成を示した斜視図である（実施例４）。
【図１２】回転角度検出装置の全体構成を示した正面図である（従来の技術）。
【符号の説明】
【００９４】
１  スロットルバルブ（検出対象物）のシャフト
２  マグネット（磁石）
３  スロットル開度センサ（回転角度センサ）
４  第１分割ヨーク（開放型ヨークの分割部、磁性体）
５  第２分割ヨーク（開放型ヨークの分割部、磁性体）
６  吸気温センサ
７  吸気圧センサ
１０  モールド樹脂（熱硬化性樹脂）
１１  吸気モジュールカバー
１２  プレート
１３  コネクタ
１４  ハウジング
１７  センサ収容空間
１９  マグネット収容空間（磁石収容空間）
２１  プレート状ヨークのヨーク本体
２２  プレート状ヨークのヨーク本体
２３  プレート状ヨークのヨーク開放端部
２４  プレート状ヨークのヨーク対向部
３１  プレート状ヨークのヨーク上片（折り曲げ片）
３２  プレート状ヨークのヨーク下片（折り曲げ片）
３３  プレート状ヨークのセンサ装着部
３４  プレート状ヨークの折り曲げ部
４３  凸部（係止部）
４４  凸部（係止部）
５１  センサ保持部（ヨーク保持部）
５２  センサ保持部（ヨーク保持部）
【図１】
2008064736.tif 000003
【図２】
2008064736.tif 000004
【図３】
2008064736.tif 000005
【図４】
2008064736.tif 000006
【図５】
2008064736.tif 000007
【図６】
2008064736.tif 000008
【図７】
2008064736.tif 000009
【図８】
2008064736.tif 000010
【図９】
2008064736.tif 000011
【図１０】
2008064736.tif 000012
【図１１】
2008064736.tif 000013
【図１２】
2008064736.tif 000014